(57)【要約】【課題】接続されている各ノードの動作状況を検出してあらかじめ登録したメールアドレスにメールにて通知することができるルータ装置を提供する。【解決手段】ＬＡＮインターフェース部４に接続された各ノードのイベントをイベント検出部３にて検出した際に、ノード情報管理部２にて、あらかじめ指定したノードにおいて発生するイベントについてあらかじめ指定したイベントを当該ノードに対応付けて情報記憶部５にて設定登録したイベント情報と照合して、該イベント情報と同一のイベントが発生していると判定した場合には、あらかじめ設定登録した処置内容にしたがって、メール送信部６にて、その旨を示す送信メールを、該イベントの通知先としてあらかじめ登録しているメールアドレスに対して送信する。また、前記イベント情報と同一のイベントが発生した場合、前記処置内容にしたがって、当該ノードのインターネットとの接続を切断することも可能である。【選択図】        図１
2012178792.tif 000002
【特許請求の範囲】
【請求項１】
各種の機器をノードとして接続し、かつ、インターネット回線との接続を行うルータ装置において、接続している各前記ノードにおいて発生するイベントを検出するイベント検出部と、該イベント検出部にて検出するイベントのうち、あらかじめ指定した前記ノードにおいて発生するイベントについてあらかじめ指定したイベントを、あらかじめ指定した処置内容とともに、当該ノードに対応付けてイベント情報として設定登録する情報記憶部とを少なくとも備え、前記情報記憶部にて設定登録した前記イベント情報と同一のイベントが前記ノードに発生したことを前記イベント検出部にて検出した際に、あらかじめ設定登録した前記処置内容にしたがって、該イベントの発生の旨を示す送信メールを作成して、該イベントの通知先としてあらかじめ登録しているメールアドレスに対して送信することを特徴とするルータ装置。
【請求項２】
前記情報記憶部にて設定登録した前記イベント情報と同一のイベントが対応付けられた前記ノードに発生したことを前記イベント検出部にて検出した際に、あらかじめ設定登録した前記処置内容にしたがって、当該ノードのインターネットとの接続を切断することを特徴とする請求項１に記載のルータ装置。
【請求項３】
前記情報記憶部にて設定登録する前記イベント情報として、前記ノードにイベントが発生してからの経過時間または前記ノードの送受信データ量の上限値または前記ノードのインターネット回線との接続可能時間の時間範囲を設定登録し、前記情報記憶部にて設定登録した該経過時間または該送受信データ量の上限値または該接続可能時間の時間範囲を超えた際に、あらかじめ設定登録した前記処置内容にしたがって、前記送信メールを送信したり、インターネットとの接続を切断したりすることを特徴とする請求項１または２に記載のルータ装置。
【請求項４】
前記情報記憶部にて前記イベント情報と対応付けて設定登録する前記ノードを特定するための情報として当該ノードにユニークに割り当てられているＭＡＣアドレス（Media Access Controlアドレス）を用いることを特徴とする請求項１ないし３のいずれかに記載のルータ装置。
【請求項５】
各種の機器をノードとして接続し、かつ、インターネット回線との接続を行うルータ装置において各前記ノードを管理するノード管理方法であって、接続している各前記ノードにおいて発生するイベントを検出するイベント検出ステップと、該イベント検出ステップにて検出するイベントのうち、あらかじめ指定した前記ノードにおいて発生するイベントについてあらかじめ指定したイベントを、あらかじめ指定した処置内容とともに、当該ノードに対応付けてイベント情報として設定登録する情報記憶ステップとを少なくとも有し、前記情報記憶ステップにて設定登録した前記イベント情報と同一のイベントが前記ノードに発生したことを前記イベント検出ステップにて検出した際に、あらかじめ設定登録した前記処置内容にしたがって、該イベントの発生の旨を示す送信メールを作成して、該イベントの通知先としてあらかじめ登録しているメールアドレスに対して送信することを特徴とするノード管理方法。
【請求項６】
前記情報記憶ステップにて設定登録した前記イベント情報と同一のイベントが対応付けられた前記ノードに発生したことを前記イベント検出ステップにて検出した際に、あらかじめ設定登録した前記処置内容にしたがって、当該ノードのインターネットとの接続を切断することを特徴とする請求項５に記載のノード管理方法。
【請求項７】
前記情報記憶ステップにて設定登録する前記イベント情報として、前記ノードにイベントが発生してからの経過時間または前記ノードの送受信データ量の上限値または前記ノードのインターネット回線との接続可能時間の時間範囲を設定登録し、前記情報記憶部に設定登録した該経過時間または該送受信データ量の上限値または該接続可能時間の時間範囲を超えた際に、あらかじめ設定登録した前記処置内容にしたがって、前記送信メールを送信したり、インターネットとの接続を切断したりすることを特徴とする請求項５または６に記載のノード管理方法。
【請求項８】
前記情報記憶ステップにて前記イベント情報と対応付けて設定登録する前記ノードを特定するための情報として当該ノードにユニークに割り当てられているＭＡＣアドレス（Media Access Controlアドレス）を用いることを特徴とする請求項５ないし７のいずれかに記載のノード管理方法。
【請求項９】
請求項５ないし８のいずれかに記載のノード管理方法を、コンピュータによって実行可能なプログラムとして実施していることを特徴とするノード管理プログラム。
【発明の詳細な説明】
【技術分野】
【０００１】
本発明は、ルータ装置、ノード管理方法およびノード管理プログラムに関し、特に、ルータ装置に接続されるノード（パソコン、ゲーム機等）を容易に管理することが可能なルータ装置、ノード管理方法およびノード管理プログラムに関する。本発明は、家庭向けルータ装置の分野やオフィス向けルータ装置の分野に好適に適用することができる。
【背景技術】
【０００２】
今日では、パソコン以外にもゲーム機や音楽プレーヤ、テレビ等さまざまな機器がルータ装置のノードとしてインターネットに接続され、１台のルータ装置に複数のノードが接続されていることも珍しくなくなった。このような状況下で、ルータ装置に接続されている各ノードを管理する場合、管理コストを掛けて、管理者が全てのノードの状況や使用率を収集し、状況を把握することが一般的であった。しかし、このような場合、次のような問題点があった。
【０００３】
第１の問題点は、管理コストが大きくなることである。その理由は、いつ起こるか分からないトラブルのために、管理者が常駐していなければならず、管理コストが発生してしまうためである。
【０００４】
第２の問題点は、ルータ装置に収容されているノードを管理することができる管理者を確保することが困難なことである。その理由は、管理者として、ルータ装置に収容されている全てのノードの動作状態や使用率等を収集し、ノードの状況を正確に把握するためには或る程度の知識が要求されるためである。
【０００５】
かかる問題を解消するために、例えば、特許文献１の特開２００５−２４４７５３号公報「家電機器の状態変化管理システム」等においては、管理者を管理センタに集中配置して、各ホームゲートウェイ（ルータ装置に相当）に接続されているノード（パソコン、ゲーム機、音楽プレーヤ、テレビ等）の異常が発生している場合に、該異常をメールによって管理者が居る管理センタの情報サーバに通報する仕組みを提案している。
【先行技術文献】
【特許文献】
【０００６】
【特許文献１】特開２００５−２４４７５３号公報（第７−１１頁）
【発明の概要】
【発明が解決しようとする課題】
【０００７】
前述したように、現在では、パソコン、ゲーム機や音楽プレーヤ、テレビ等さまざまな機器をインターネットに接続するために、ノードとしてルータ装置に複数の機器が接続されるようになってきている。このため、ルータ装置に接続されている各ノードの正常性を管理するために、人為的に、接続状態や使用率等を収集して、各ノードの状況を把握することが一般的であり、管理者をサイトに常駐させなければならないため、管理コスト面で問題があった。
【０００８】
かかる事態を解消させるために、前記特許文献１等において、ノードの異常が発生した際にその異常を検知して、管理センタの情報サーバに対してメールにて通報する仕組みが提案されているが、各ノードには異常を検出してメール送信するための機構を備えることが必要であり、既に設置済みの既存のノードに対してそのまま適用することは不可能である。
【０００９】
（本発明の目的）
本発明は、かかる事情に鑑みてなされたものであり、ルータ装置に接続されている各ノードから通知されてくる情報に含まれているイベントを監視して、該イベントから得られる各ノードの動作状況をあらかじめ登録しておいたメールアドレスにメールにて通知することができるルータ装置、ノード管理方法およびノード管理プログラムを提供することを、その目的としている。
【課題を解決するための手段】
【００１０】
前述の課題を解決するため、本発明によるルータ装置、ノード管理方法およびノード管理プログラムは、主に、次のような特徴的な構成を採用している。
【００１１】
（１）本発明によるルータ装置は、各種の機器をノードとして接続し、かつ、インターネット回線との接続を行うルータ装置において、接続している各前記ノードにおいて発生するイベントを検出するイベント検出部と、該イベント検出部にて検出するイベントのうち、あらかじめ指定した前記ノードにおいて発生するイベントについてあらかじめ指定したイベントを、あらかじめ指定した処置内容とともに、当該ノードに対応付けてイベント情報として設定登録する情報記憶部とを少なくとも備え、前記情報記憶部にて設定登録した前記イベント情報と同一のイベントが前記ノードに発生したことを前記イベント検出部にて検出した際に、あらかじめ設定登録した前記処置内容にしたがって、該イベントの発生の旨を示す送信メールを作成して、該イベントの通知先としてあらかじめ登録しているメールアドレスに対して送信することを特徴とする。
【００１２】
（２）本発明によるノード管理方法は、各種の機器をノードとして接続し、かつ、インターネット回線との接続を行うルータ装置において各前記ノードを管理するノード管理方法であって、接続している各前記ノードにおいて発生するイベントを検出するイベント検出ステップと、該イベント検出ステップにて検出するイベントのうち、あらかじめ指定した前記ノードにおいて発生するイベントについてあらかじめ指定したイベントを、あらかじめ指定した処置内容とともに、当該ノードに対応付けてイベント情報として設定登録する情報記憶ステップとを少なくとも有し、前記情報記憶ステップにて設定登録した前記イベント情報と同一のイベントが前記ノードに発生したことを前記イベント検出ステップにて検出した際に、あらかじめ設定登録した前記処置内容にしたがって、該イベントの発生の旨を示す送信メールを作成して、該イベントの通知先としてあらかじめ登録しているメールアドレスに対して送信することを特徴とする。
【００１３】
（３）本発明によるノード管理プログラムは、少なくとも前記（２）に記載のノード管理方法を、コンピュータによって実行可能なプログラムとして実施していることを特徴とする。
【発明の効果】
【００１４】
本発明のルータ装置、ノード管理方法およびノード管理プログラムによれば、以下のような効果を奏することができる。
【００１５】
第１の効果は、各ノードが接続されているルータ装置側において、管理コストを掛けることなく、各ノードの使用状況を管理することができることにある。その理由は、ルータ装置において監視すべきノードやイベントおよびイベント発生時の送信先のメールアドレスを情報記憶部にあらかじめ設定登録しさえすれば、ルータ装置において自動的に対象とするノードのイベントの発生を監視して、イベントを検出した際に、該イベントが発生した旨を示すメールを、送信すべきメールアドレス宛に自動的に送信するからである。
【００１６】
第２の効果は、ルータ装置に接続されている各ノードの利用者は、各ノードのイベントの発生について監視されていることを意識することなく、各ノードを使用することができることにある。その理由は、ルータ装置の情報記憶部にイベント情報としてあらかじめ設定登録したイベントについてのみ、送信すべきメールアドレス宛として設定登録されている宛先に対して通知するだけであるので、必要以上に、各ノードの利用者の行動を監視するようなことがないからである。
【図面の簡単な説明】
【００１７】
【図１】本発明によるルータ装置のブロック構成の一例を示すブロック構成図である。
【図２】図１に示すルータ装置の動作の一例を説明するためのフローチャートである。
【図３】図１に示すルータ装置のＬＡＮインターフェース部に接続されているノードの具体例を示す接続構成図である。
【図４】図１に示すルータ装置の情報記憶部にあらかじめ設定登録されているイベント情報の一例を示すイベント情報登録テーブルである。
【図５】図１に示すルータ装置の情報記憶部にあらかじめ設定登録されているイベント情報の図４とは異なる登録例を示すイベント情報登録テーブルである。
【図６】図１に示すルータ装置の動作の図２とは異なる例を説明するためのフローチャートである。
【図７】図１に示すルータ装置の情報記憶部にあらかじめ設定登録されているイベント情報の図４、図５とはさらに異なる登録例を示すイベント情報登録テーブルである。
【図８】図１に示すルータ装置の動作の図２、図６とはさらに異なる例を説明するためのフローチャートである。
【発明を実施するための形態】
【００１８】
以下、本発明によるルータ装置、ノード管理方法およびノード管理プログラムの好適な実施形態について添付図を参照して説明する。なお、以下の説明においては、本発明によるルータ装置およびノード管理方法について説明するが、かかるノード管理方法をコンピュータにより実行可能なノード管理プログラムとして実施するようにしても良いし、あるいは、ノード管理プログラムをコンピュータにより読み取り可能な記録媒体に記録するようにしても良いことは言うまでもない。
【００１９】
（本発明の特徴）
本発明の実施形態の説明に先立って、本発明の特徴についてその概要をまず説明する。本発明は、インターネットに接続するために、パソコン（ＰＣ：Personal Computer）やゲーム機、音楽プレーヤ、テレビ等の各種ノードを接続したルータ装置および該ルータ装置におけるノード管理方法、ノード管理プログラムに関するものであり、接続した各ノードの電源のオン、オフや通信時のイベント等のうち、あらかじめ設定したイベントを検出した際に、あらかじめ登録しているメールアドレス（つまり、ノードの管理者が集中配置されている管理センタのメールアドレス）に対して、検出したイベントが示すノードの動作状況を通知する仕組みを備え、管理センタにおいて、該イベントの通知を受け取ることによって、各ノードの動作状況の管理を容易に行うことが可能になることを主要な特徴としている。
【００２０】
つまり、本発明においては、ルータ装置に接続している各ノードにてあらかじめ設定したイベントの発生あるいは未発生があった際に、当該ルータ装置が、あらかじめ登録しておいたメールアドレスに対して各ノードの動作状況をメールにて通知することにより、各ノードの設置場所と同じ場所に管理者がいなくても、各ノードの使用状況を常に把握することができ、各ノードの設置場所に管理者が常駐していなければならないという不都合を解消することができる。
【００２１】
（本発明の実施形態の構成例）
次に、本発明によるルータ装置の構成例について、図１を用いて説明する。図１は、本発明によるルータ装置のブロック構成の一例を示すブロック構成図である。
【００２２】
図１に示すルータ装置１０は、ＷＡＮインターフェース部１、ノード情報管理部２、イベント検出部３、ＬＡＮインターフェース部４、情報記憶部５、メール送信部６を少なくとも含んで構成される。ＷＡＮインターフェース部１は、インターネットと接続するインターネット回線を収容し、インターネットとの間でパケットデータの送受信動作を行う。ノード情報管理部２は、ＬＡＮインターフェース部４に接続されるパソコン（ＰＣ：Personal Computer）やゲーム機、音楽プレーヤ、テレビ等の各ノードのＩＰアドレス（Internet Protocolアドレス）やＭＡＣアドレス（Media Access Controlアドレス）等の情報を管理し、ノードの動作状況の管理を行う。
【００２３】
イベント検出部３は、ＬＡＮインターフェース部４に接続される各ノードの電源オン、オフ、通信開始、通信終了、異常発生などのイベントを、各ノードとの間で送受信するパケットデータに基づいて検出する。ＬＡＮインターフェース部４は、ＬＡＮケーブルや無線ＬＡＮ等のＬＡＮ回線を介して各ノードと接続し、各ノードとの間でパケットデータの送受信動作を行う。
【００２４】
情報記憶部５は、各ノードごとにあらかじめ定めたイベントを登録したり、該イベントが発生した際にメール送信すべき宛先となるメールアドレスを登録したりする。なお、情報記憶部５へのイベントやメールアドレス等の登録は、ＬＡＮインターフェース部４に接続されたＰＣ等からの入力によって行われる。メール送信部６は、情報記憶部５に登録したイベントをイベント検出部３において検出した際に、その旨を示す送信メールを作成して、情報記憶部５に登録したメールアドレス宛にメール送信する。
【００２５】
かくのごとき構成からなるルータ装置１０は、ＬＡＮインターフェース部４に接続された各ノードにおいてあらかじめ設定登録しておいたイベントの発生、未発生をトリガとして、あらかじめ設定登録したメールアドレスにその旨を示すメールを送信する。而して、各ノードの設置場所から離れている遠隔地にそれぞれのノードの管理者が居る場合であっても、メール通知先としてあらかじめ設定登録しておくことにより、各ノードの管理者は、それぞれのノードの動作状況を容易に把握することができる。
【００２６】
（実施形態の動作の説明）
次に、図１に示したルータ装置１０の動作について、その一例を、図２のフローチャートを用いて詳細に説明する。図２は、図１に示すルータ装置１０の動作の一例を説明するためのフローチャートである。なお、ルータ装置１０は、ＬＡＮインターフェース部４に接続されている各ノードについて、どのノードが、どのようなイベントを発生、未発生したか、または、イベント発生からあらかじめ指定した時間が経過した場合に、どのメールアドレスに対して、その旨を示すメールを送信するのかを、ＬＡＮインターフェース部４に接続されたＰＣから入力して、ノードに対応付けたイベント情報として、情報記憶部５にあらかじめ登録している。また、ルータ装置１０は、ＬＡＮインターフェース部４に接続された各ノードに発生するイベントを、情報記憶部５にあらかじめ登録されているイベント情報と照合する際に、各ノードを特定するためにそれぞれにユニークに割り当てられているＭＡＣアドレスを用いる。
【００２７】
図２のフローチャートにおいて、イベント検出部３は、ＬＡＮインターフェース部４に接続されている各ノードに何らかのイベントが発生したか否かを監視する（ステップＳ１）。イベントを検出していない場合は（ステップＳ１のＮ）、図２のフローチャートの処理を終了する。一方、ＬＡＮインターフェース部４に接続されているいずれかのノードが電源オン、オフ、通信開始、通信終了等の何らかのイベントを発生させると、ＬＡＮインターフェース部４を介して、イベント検出部３が、発生したイベントを検出し（ステップＳ１のＹ）、ノード情報管理部２にその旨を通知する。
【００２８】
当該ルータ装置１０に接続しているノードに関する情報を管理しているノード情報管理部２は、ノードが電源オンまたはルータ装置１０に接続された際に、ＡＲＰ（Address Resolution Protocol：アドレス解決プロトコル）により、互いに、ＩＰアドレスとＭＡＣアドレスとを取得している。したがって、ノード情報管理部２は、取得しているＭＡＣアドレスを用いて、イベントを発生させたノードのＭＡＣアドレスが、情報記憶部５のイベント情報登録テーブルに登録されているか否かを確認し（ステップＳ２）、登録されていなかった場合には（ステップＳ２のＮ）、管理対象ではないノードにおいて何らかのイベントが発生したものと看做して、図２のフローチャートの処理を終了する。
【００２９】
一方、ノード情報管理部２は、イベントを発生させたノードのＭＡＣアドレスが情報記憶部５のイベント情報登録テーブルに登録されていた場合には（ステップＳ２のＹ）、イベントが発生したノードのＭＡＣアドレスと発生したイベント内容とを用いて、情報記憶部５に対して問い合わせる。
【００３０】
問い合わせを受け取った情報記憶部５においては、ＭＡＣアドレスが示すノードに発生したイベントがイベント情報登録テーブルにあらかじめ登録しているイベント情報と同じイベントであったか否かを確認し（ステップＳ３）、同じイベントではなかった場合には（ステップＳ２のＮ）、管理対象ではないイベントが発生したものと看做して、その旨をノード情報管理部２に通知してくるので、ノード情報管理部２は、図２のフローチャートの処理を終了する。
【００３１】
一方、情報記憶部５のイベント情報登録テーブルにあらかじめ登録しているイベント情報と同じイベントが発生していた場合（ステップＳ３のＹ）、当該イベントがメールの送信動作を当該イベントの発生からイベント情報登録テーブルにあらかじめ設定登録されている設定値だけ経過するまで待ち合わせるべきカウント対象のイベントであるか否かを確認し（ステップＳ４）、カウント対象のイベントではなかった場合には（ステップＳ４のＮ）、その旨をノード情報管理部２に通知してくるので、ノード情報管理部２は、イベントが発生したノードと該イベントの内容と該イベントの発生を通知すべきメールアドレスとを、メール送信部６に通知する。一方、カウント対象のイベントであった場合には（ステップＳ４のＹ）、その旨をノード情報管理部２に通知してくるので、ノード情報管理部２は、あらかじめ設定されている設定値が経過するまでのカウント動作を繰り返した後（ステップＳ５，Ｓ６，Ｓ７）、イベントが発生したノードと該イベントの内容と該イベントの発生を通知すべきメールアドレスとを、メール送信部６に通知する。
【００３２】
該通知を受け取ったメール送信部６は、イベントが発生したノードと該イベントの内容とに関する送信メールを作成して、該イベントを通知すべきメールアドレスに対して、ＷＡＮインターフェース部１を介して、メール送信する（ステップＳ８）。
【００３３】
次に、図２に例示したような動作について、具体例を用いてさらに説明する。図３は、図１に示すルータ装置１０のＬＡＮインターフェース部４に接続されているノードの具体例を示す接続構成図であり、ノードとして、Ａ社製携帯ゲーム機２１、Ｂ社製テレビ２２、Ｃ社製ＰＣ２３の３つのノードが接続されている例を示している。
【００３４】
ここで、Ａ社製携帯ゲーム機２１は、ＩＰアドレスが'１９２．１６８．０．２'であり、ＭＡＣアドレスが'００：００：ＡＡ：００：００：ＡＡ'であり、Ｂ社製テレビ２２は、ＩＰアドレスが'１９２．１６８．０．３'であり、ＭＡＣアドレスが'００：００：ＢＢ：００：００：ＢＢ'であり、Ｃ社製ＰＣ２３は、ＩＰアドレスが'１９２．１６８．０．４'であり、ＭＡＣアドレスが'００：００：ＣＣ：００：００：ＣＣ'であるものとして、ルータ装置１０のノード情報管理部２において、それぞれの電源オン時またはルータ装置１０との接続時に、ＡＲＰプロトコルによって、取得されているものとする。
【００３５】
また、ルータ装置１０の情報記憶部５のイベント情報登録テーブルに設定登録すべき各ノードに関するイベント情報については、Ｃ社製ＰＣ２３からＬＡＮインターフェース部４を介してあらかじめ設定登録されている。本実施形態においては、例えば、Ａ社製携帯ゲーム機２１の場合は、電源をオンにして使用を開始してから２時間経過した時点で、指定したメールアドレスに対してメール送信を行うべき旨がイベント情報として登録され、Ｂ社製テレビ２２の場合は、電源をオンする都度、指定したメールアドレスに対してメール送信を行うべき旨がイベント情報として登録されているが、Ｃ社製ＰＣ２３については、イベント情報の登録がなされていないものとする。
【００３６】
図４は、図１に示すルータ装置１０の情報記憶部５にあらかじめ設定登録されているイベント情報の一例を示すイベント情報登録テーブルであり、各ノードを識別するノードのＭＡＣアドレス５１とメール送信すべきイベント内容を示すイベント情報５２と処置５３とを対応付けて登録している。つまり、前述の登録例においては、Ａ社製携帯ゲーム機２１を示すＭＡＣアドレス'００：００：ＡＡ：００：００：ＡＡ'に対しては、イベント情報５２として、"電源オンから２時間後"があらかじめ登録され、Ｂ社製テレビ２２を示すＭＡＣアドレス'００：００：ＢＢ：００：００：ＢＢ'に対しては、イベント情報５２として、"電源オン時"があらかじめ登録されており、いずれも、処置５３に示すように、それぞれのノードについてあらかじめ指定したメールアドレスに対して"メール送信"すべき旨が登録されている。なお、メール送信を行うメールアドレスは、Ａ社製携帯ゲーム機２１、Ｂ社製テレビ２２の各ノードそれぞれについて情報記憶部５にあらかじめ登録されている。また、図４に示す登録例においては、Ａ社製携帯ゲーム機２１、Ｂ社製テレビ２２の各ノードそれぞれに１個ずつのイベント情報が登録されている例を示しているが、各ノードそれぞれは複数のイベント情報を登録するようにすることも勿論可能である。
【００３７】
図４のようなイベント情報が情報記憶部５のイベント情報登録テーブルに登録されている場合には、図２のフローチャートにおいて、Ａ社製携帯ゲーム機２１の電源がオンになると、イベント検出部３が該Ａ社製携帯ゲーム機２１の電源オンのイベントを検出し（ステップＳ１のＹ）、ノード情報管理部２が、ＡＲＰプロトコルにより、該Ａ社製携帯ゲーム機２１との間で、互いにＩＰアドレスとＭＡＣアドレスとを取得し、取得したＡ社製携帯ゲーム機２１のＭＡＣアドレスが情報記憶部５のイベント情報登録テーブルのノードのＭＡＣアドレス５１に登録されているか否かを確認する（ステップＳ２）。
【００３８】
Ａ社製携帯ゲーム機２１のＭＡＣアドレスが情報記憶部５のイベント情報登録テーブルのノードのＭＡＣアドレス５１に登録されていた場合は（ステップＳ２のＹ）、検出したＡ社製携帯ゲーム機２１の電源オンというイベントが情報記憶部５のイベント情報登録テーブルのイベント情報５２に登録されているイベント情報と同じか否かを確認する（ステップＳ３）。
【００３９】
情報記憶部５のイベント情報登録テーブルには、Ａ社製携帯ゲーム機２１の電源オンから"２時間"を超えた場合に、メール送信を行うように処置５３に登録されている場合であるので、検出したＡ社製携帯ゲーム機２１の電源オンというイベントが情報記憶部５のイベント情報登録テーブルのイベント情報５２に登録されていて（ステップＳ３のＹ）、かつ、イベントが発生してからあらかじめ指定した経過時間だけ経過するまでをカウントするイベントであった場合であり（ステップＳ４のＹ）、ノード情報管理部２は、カウントループ処理によって経過時間をカウントし続ける（ステップＳ５，Ｓ６，Ｓ７）。
【００４０】
Ａ社製携帯ゲーム機２１が電源オンしてから、情報記憶部５のイベント情報５２にイベント情報として登録されている指定時間の２時間を経過した場合には、ステップＳ５，Ｓ６，Ｓ７のループ処理を終了して、処置５３に登録した内容にしたがって、メール送信部６によって、Ａ社製携帯ゲーム機２１が電源オンから２時間経過した旨を示す送信メールを作成して、あらかじめ指定されているメールアドレスに対して、ＷＡＮインターフェース部１を介してメール送信する（ステップＳ８）。
【００４１】
次に、Ｂ社製テレビ２２の電源オンを検出した場合の動作について説明する。図２のフローチャートにおいて、Ｂ社製テレビ２２の電源がオンになると、イベント検出部３が該Ｂ社製テレビ２２の電源オンのイベントを検出し（ステップＳ１のＹ）、ノード情報管理部２が、ＡＲＰプロトコルにより、該Ｂ社製テレビ２２との間で、互いにＩＰアドレスとＭＡＣアドレスとを取得し、取得したＢ社製テレビ２２のＭＡＣアドレスが情報記憶部５のイベント情報登録テーブルのノードのＭＡＣアドレス５１に登録されているか否かを確認する（ステップＳ２）。
【００４２】
Ｂ社製テレビ２２のＭＡＣアドレスが情報記憶部５のイベント情報登録テーブルのノードのＭＡＣアドレス５１に登録されていた場合は（ステップＳ２のＹ）、検出したＢ社製テレビ２２の電源オンというイベントが情報記憶部５のイベント情報登録テーブルのイベント情報５２に登録されているイベント情報と同じか否かを確認する（ステップＳ３）。
【００４３】
検出したＢ社製テレビ２２の電源オンというイベントが情報記憶部５のイベント情報登録テーブルのイベント情報５２に登録されていた場合には（ステップＳ３のＹ）、該イベントは、発生してからあらかじめ指定した経過時間だけ経過するまでカウントすべきイベントではない旨が登録されているので（ステップＳ４のＮ）、処置５３に登録した内容にしたがって、メール送信部６によって、Ｂ社製テレビ２２が電源オンした旨を示す送信メールを作成して、あらかじめ指定されているメールアドレスに対して、ＷＡＮインターフェース部１を介してメール送信する（ステップＳ８）。
【００４４】
次に、Ｃ社製ＰＣ２３の電源オンを検出した場合の動作について説明する。図２のフローチャートにおいて、Ｃ社製ＰＣ２３の電源がオンになると、イベント検出部３が該Ｃ社製ＰＣ２３の電源オンのイベントを検出し（ステップＳ１のＹ）、ノード情報管理部２が、ＡＲＰプロトコルにより、該Ｃ社製ＰＣ２３との間で、互いにＩＰアドレスとＭＡＣアドレスとを取得し、取得したＣ社製ＰＣ２３のＭＡＣアドレスが情報記憶部５のイベント情報登録テーブルのノードのＭＡＣアドレス５１に登録されているか否かを確認する（ステップＳ２）。
【００４５】
Ｃ社製ＰＣ２３のＭＡＣアドレスは情報記憶部５のイベント情報登録テーブルのノードのＭＡＣアドレス５１には登録されていないので（ステップＳ２のＮ）、検出したＣ社製ＰＣ２３の動作状況の変化の如何に関わらず、メールの送信等の動作を行う必要はないものと看做して、図２のフローチャートの処理を終了する。
【００４６】
（実施形態の他の動作の説明）
次に、図１に示したルータ装置の動作について、図２とは異なる他の例を、図５、図６を用いて詳細に説明する。図５は、図１に示すルータ装置１０の情報記憶部５にあらかじめ設定登録されているイベント情報の図４とは異なる登録例を示すイベント情報登録テーブルであり、図４の場合と同様、ノードのＭＡＣアドレス５１とイベント情報５２と処置５３とを対応付けた構成になっている。ただし、図５の登録例においては、Ａ社製携帯ゲーム機２１を示すＭＡＣアドレス'００：００：ＡＡ：００：００：ＡＡ'に対して、イベント情報５２として、"データ上限１ＧＢ"が超えた場合に、処置５３として、"メール送信"することではなく、インターネットとの接続を"切断"することがあらかじめ登録されており、Ａ社製携帯ゲーム機２１のデータ送受信量が、１ＧＢを超えた場合には、インターネットとの接続を切断する旨を登録している。
【００４７】
図６は、図１に示すルータ装置１０の動作の図２とは異なる例を説明するためのフローチャートであり、図５のごときイベント情報がイベント情報登録テーブルに設定登録されている場合の動作の一例を示している。
【００４８】
図５のようなイベント情報が情報記憶部５に登録されている場合には、図６のフローチャートにおいて、Ａ社製携帯ゲーム機２１がルータ装置１０を介してインターネットとの間のデータの送受信動作を開始すると、イベント検出部３が該Ａ社製携帯ゲーム機２１のデータ送受信動作開始のイベントを検出し、ノード情報管理部２に通知する（ステップＳ１１のＹ）。ノード情報管理部２は、データ送受信動作開始というイベントが発生したＡ社製携帯ゲーム機２１のＭＡＣアドレスが情報記憶部５のイベント情報登録テーブルのノードのＭＡＣアドレス５１に登録されているか否かを確認する（ステップＳ１２）。
【００４９】
Ａ社製携帯ゲーム機２１のＭＡＣアドレスが情報記憶部５のイベント情報登録テーブルのノードのＭＡＣアドレス５１に登録されていた場合は（ステップＳ１２のＹ）、検出したＡ社製携帯ゲーム機２１のデータ送受信動作開始というイベントが情報記憶部５のイベント情報登録テーブルのイベント情報５２に登録されているイベント情報と同じか否かを確認する（ステップＳ１３）。
【００５０】
本実施形態においては、図５に示したように、情報記憶部５のイベント情報登録テーブルには、Ａ社製携帯ゲーム機２１のデータ送受信量が"１ＧＢ"を超えた場合に、インターネット接続を切断するように処置５３に登録されている場合であるので、検出したＡ社製携帯ゲーム機２１のデータ送受信動作というイベントが情報記憶部５のイベント情報登録テーブルのイベント情報５２に登録されていて（ステップＳ１３のＹ）、かつ、該イベントが発生してからデータ送受信動作を継続することが可能なデータ上限値としてあらかじめ指定したデータ送受信量（図５の登録例の場合、"データ上限値１ＧＢ"）までをカウントするイベントであった場合であり（ステップＳ１４のＹ）、ノード情報管理部２は、カウントループ処理によってデータ送受信量をカウントし続ける（ステップＳ１５，Ｓ１６，Ｓ１７）。
【００５１】
Ａ社製携帯ゲーム機２１がデータ送受信動作を開始してから、情報記憶部５のイベント情報５２にイベント情報として登録されているデータ送受信量の上限値例えば"１ＧＢ"を超えた場合には、ステップＳ５，Ｓ６，Ｓ７のループ処理を終了して、ノード情報管理部２は、処置５３に登録した内容にしたがって、Ａ社製携帯ゲーム機２１のインターネットとの接続を切断する（ステップＳ１８）。
【００５２】
（実施形態のさらに異なる動作の説明）
次に、図１に示したルータ装置の動作について、図２、図６とはさらに異なる例を、図７、図８を用いて詳細に説明する。図７は、図１に示すルータ装置１０の情報記憶部５にあらかじめ設定登録されているイベント情報の図４、図５とはさらに異なる登録例を示すイベント情報登録テーブルであり、図４、図５の場合と同様、ノードのＭＡＣアドレス５１とイベント情報５２と処置５３とを対応付けた構成になっている。ただし、図７の登録例においては、Ａ社製携帯ゲーム機２１を示すＭＡＣアドレス'００：００：ＡＡ：００：００：ＡＡ'に対して、イベント情報５２として、"接続可能時間９：００〜２１：００"が超えた場合に、処置５３として、"切断"することがあらかじめ登録されており、Ａ社製携帯ゲーム機２１のインターネットとの接続時間が、接続可能時間９：００〜２１：００の時間範囲を超えた場合には、インターネットとの接続を切断する旨を登録している。
【００５３】
図８は、図１に示すルータ装置１０の動作の図２、図６とはさらに異なる例を説明するためのフローチャートであり、図７のごときイベント情報がイベント情報登録テーブルに設定登録されている場合の動作の一例を示している。
【００５４】
図７のようなイベント情報が情報記憶部５に登録されている場合には、図８のフローチャートにおいて、Ａ社製携帯ゲーム機２１がルータ装置１０を介してインターネットとの接続を開始すると、イベント検出部３が該Ａ社製携帯ゲーム機２１のインターネットとの接続開始のイベントを検出し、ノード情報管理部２に通知する（ステップＳ２１のＹ）。ノード情報管理部２は、インターネットとの接続開始というイベントが発生したＡ社製携帯ゲーム機２１のＭＡＣアドレスが情報記憶部５のイベント情報登録テーブルのノードのＭＡＣアドレス５１に登録されているか否かを確認する（ステップＳ２２）。
【００５５】
Ａ社製携帯ゲーム機２１のＭＡＣアドレスが情報記憶部５のイベント情報登録テーブルのノードのＭＡＣアドレス５１に登録されていた場合は（ステップＳ２２のＹ）、検出したＡ社製携帯ゲーム機２１のインターネットとの接続開始というイベントが情報記憶部５のイベント情報登録テーブルのイベント情報５２に登録されているイベント情報と同じか否かを確認する（ステップＳ２３）。
【００５６】
本実施形態においては、図７に示したように、情報記憶部５のイベント情報登録テーブルには、Ａ社製携帯ゲーム機２１のインターネットとの接続時間が"接続可能時間９：００〜２１：００"の時間範囲内に収まっている場合にのみ、インターネットとの接続を許可し、該時間範囲を超えた場合には、インターネット接続を強制的に切断するように処置５３に登録されている場合であるので、検出したＡ社製携帯ゲーム機２１のインターネット接続開始というイベントが情報記憶部５のイベント情報登録テーブルのイベント情報５２に登録されていて（ステップＳ２３のＹ）、かつ、現在の時刻が該イベントが発生してからインターネットとの接続を継続することが可能な接続可能時間としてあらかじめ指定した時間（図５の登録例の場合、"接続可能時間９：００〜２１：００"）内にあるか否かをカウントするイベントであった場合であり（ステップＳ２４のＹ）、ノード情報管理部２は、カウントループ処理によって、ルータ装置内に備えている時計にて計時された現在時刻が情報記憶部５のイベント情報テーブルに設定登録されている接続可能時間内であるか否かを監視する動作を継続するように、カウントし続ける（ステップＳ２５，Ｓ２６，Ｓ２７）。
【００５７】
現在時刻が情報記憶部５のイベント情報５２にＡ社製携帯ゲーム機２１のイベント情報として登録されている接続可能時間例えば"９：００〜２１：００"の範囲内に収まっていない状態になったことを検出すると（ステップＳ２６のＮ）、ステップＳ２５，Ｓ２６，Ｓ２７のループ処理を終了して、ノード情報管理部２は、Ａ社製携帯ゲーム機２１のインターネットとの接続を切断する（ステップＳ２８）。
【００５８】
なお、前述の図５〜図８に示した実施形態においては、インターネット接続を切断する場合の実施例として、カウント動作を伴うイベント情報の場合について示したが、例えばノードの電源がオフになった場合等のように、カウント動作を伴うことなく、イベントの発生を検出した時点で、インターネット接続を直ちに切断する動作を行うイベント情報を情報記憶部５のイベント情報登録テーブルに設定登録することも勿論可能である。また、前述の図５〜図８に示した実施形態においては、処置５３に"切断"のみを登録している例を示したが、複数の処置内容を登録するようにしても良く、例えば、"切断"と"メール送信"との双方を登録するようにしても構わない。
【００５９】
（実施形態の効果の説明）
以上に詳細に説明したように、前述の実施形態においては、次のような効果が得られる。
【００６０】
第１の効果は、各ノードが接続されているルータ装置１０側において、管理コストを掛けることなく、各ノードの使用状況を管理することができることにある。その理由は、ルータ装置１０において監視すべきノードやイベントおよびイベント発生時の送信先のメールアドレスを情報記憶部５にあらかじめ設定登録しさえすれば、ルータ装置１０において自動的に対象とするノードのイベントの発生を監視して、イベントを検出した際に、該イベントが発生した旨を示すメールを、送信すべきメールアドレス宛に自動的に送信するからである。
【００６１】
第２の効果は、ルータ装置１０に接続されている各ノードの利用者は、各ノードのイベントの発生を監視されていることを意識することなく、各ノードを使用することができることにある。その理由は、ルータ装置１０の情報記憶部５にイベント情報としてあらかじめ設定登録したイベントについてのみ、送信すべきメールアドレス宛として設定登録されている管理者に対して通知するだけであるので、必要以上に、各ノードの利用者の行動を監視するようなことがないからである。
【００６２】
第３の効果は、各ノードに発生したイベントの内容に応じて、その旨を示すメールの送信動作のみならず、インターネットとの接続を切断するような動作を行うことも可能である。その理由は、ルータ装置１０の情報記憶部５のイベント情報登録テーブルに、処置５３として、イベント情報５２に示す条件が満たされた場合に、"メール送信"のみならず、"切断"等の１ないし複数の処置内容をあらかじめ設定登録することができるからである。
【００６３】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００６４】
１      ＷＡＮインターフェース部
２      ノード情報管理部
３      イベント検出部
４      ＬＡＮインターフェース部
５      情報記憶部
６      メール送信部
１０    ルータ装置
２１    Ａ社製携帯ゲーム機
２２    Ｂ社製テレビ
２３    Ｃ社製ＰＣ
５１    ノードのＭＡＣアドレス
５２    イベント情報
５３    処置
【図１】
2012178792.tif 000003
【図２】
2012178792.tif 000004
【図３】
2012178792.tif 000005
【図４】
2012178792.tif 000006
【図５】
2012178792.tif 000007
【図６】
2012178792.tif 000008
【図７】
2012178792.tif 000009
【図８】
2012178792.tif 000010